(57)【要約】　　　（修正有）【課題】車のキズ・ヘコミの修理に必要な価格を表示し、車の修理を必要とする人に便宜を図ることのできる、車のキズ・ヘコミの修理価格一覧表を提供する。【解決手段】車のボディーの部位２ごとに、列に車種を表示し、次の列に前記車種ごとの車名を表示し、行に塗装の種類を表示し、次の行に前記塗装の種類ごとに塗装の範囲を表示し、各車種と各車名の行と各塗装の種類と各塗装の範囲の列が交わる欄に価格が表示されている価格表３が表示されているキズ・ヘコミの修理価格一覧表用紙。【選択図】　　図１
0003098168.tif 000002
【実用新案登録請求の範囲】
【請求項１】
車のボディーの部位、車種と車名、塗装の種類と塗装範囲とによって表示された価格表を車のボディーの部位ごとに表示したことを特徴とする車のキズ・ヘコミの修理価格一覧表。
【請求項２】
車のボディーの部位ごとに、列に車種を表示し、次の列に前記車種ごとの車名を表示し、行に塗装の種類を表示し、次の行に前記塗装の種類ごとに塗装の範囲を表示し、各車種と各車名の行と各塗装の種類と各塗装の範囲の列が交わる欄に価格が表示されている価格表が表示されていることを特徴とする車のキズ・ヘコミの修理価格一覧表。
【考案の詳細な説明】
【０００１】
【考案の属する技術分野】
本考案は、車のボディーのキズ・ヘコミを修理した場合にかかる費用を表示した、車のキズ・ヘコミの修理価格一覧表に関する。
【０００２】
【従来の技術】
接触事故や運転ミスで車のボディーにキズがついたり、ヘコミができたりすると、修理工場へ運び、車修理工場では、車のキズやヘコミを修復したのち、修復個所に塗装を行って仕上げている。修理が完了すると、車修理工場は修理費用を修理依頼者に請求している。
【０００３】
【考案が解決しようとする課題】
修理費用は、特に定められた価格はなく、修理工場で決められる場合がほとんどであるが、価格を決めるための基準が明確ではないないため、修理後に修理費用を請求された修理依頼者は、過去の修理の例や他人の修理費用の情報から請求された修理費に納得のいかない場合もある。
【０００４】
そこで、本考案は、車のキズ・ヘコミの修理に必要な価格を表示し、車の修理を必要とする人に便宜を図ることのできる、車のキズ・ヘコミの修理価格一覧表を提供するものである。
【０００５】
【課題を解決するための手段】
本考案の車のキズ・ヘコミの修理価格一覧表は、車のボディーの部位、車種と車名、塗装の種類と塗装範囲とによって表示された価格表を車のボディーの部位ごとに表示したことを特徴とする。
【０００６】
本考案の車のキズ・ヘコミの修理価格一覧表は、例えば、車のボディーの部位ごとに、列に車種を表示し、次の列に前記車種ごとの車名を表示し、行に塗装の種類を表示し、次の行に前記塗装の種類ごとに塗装の範囲を表示し、各車種と各車名の行と各塗装の種類と各塗装の範囲の列が交わる欄に価格が表示されていることを特徴とする。
【０００７】
【考案の実施の形態】
図１は本考案の車のキズ・ヘコミの修理価格一覧表を示す図である。図１において、修理価格一覧表１には、車のボディーの各部位２ごとに価格表３が表示されている。
【０００８】
図２は車のボディーを展開してボディーの部位を示した図である。図１に示す修理価格一覧表１に表示するボディーの各部位２は、Ｂ１がバンパー、Ｂ２がフロントフェンダー、Ｂ３がボンネット、Ｂ４がフロントドア、Ｂ５がリアドア、Ｂ６がサイドシル、Ｂ７がルーフ、Ｂ８がクォーターパネル、Ｂ９がリアエンドパネル、Ｂ１０がトランクパネルなどである。なお、図１においてはバンパーについて３つの価格表、フロントドアとクォーターパネルについてはそれぞれ２つの価格表が表示されているが、例えば、バンパーについては単色、ライン入り、２色の３種類の仕様について表示したものであり、これらの部位について異なる仕様ごとに価格表を表示する。なお、一枚の修理価格一覧表に、必要な各部位について全部の価格表が表示できない場合は、数枚の修理価格一覧表に分けて表示する。
【０００９】
図３は図１に示す各部位の価格表を示し、フロントドアの価格表の例を示す図である。
【００１０】
図１に示す価格表３には左端の列に車の種類（例えば乗用車、軽四輪車、ミニバン、４ＷＤ）４を表示し、次の列に車両毎に車名（例えば車の商標名、Ａ、Ｂ、Ｃ・・・）５を表示する。
【００１１】
さらに価格表３の上の行には塗装の種類（例えば、ソリッド、メタリック、２コートパール、３コートパール）６を表示し、次の行に塗装の種類６ごとに塗装の範囲（例えば、１／１、１／２、１／３、なお、１／１は全面を意味する。）７を表示する。
【００１２】
図４は塗装の種類についての説明図である。図４（ａ）はバンパー１０の中央にライン１１を入れたバンパーを示す。図４（ｂ）はソリッドを示し、鉄板１２上に下地層１３を設け、その上に着色層１４を設けた塗装である。図４（ｃ）はメタリックを示し、鉄板１２上に下地層１３を設け、その上にアルミ片１５ａを分散させた着色層１５を設け、その上に透明なクリア層１６を設けた塗装である。図４（ｄ）は２コートパールを示し、鉄板１２上に下地層１３を設け、その上にマイカ片１５ｂを分散させた着色層１５を設け、その上に透明なクリア層１６を設けた塗装である。図４（ｅ）は３コートパールを示し、鉄板１２上に下地層１３を設け、その上に着色層を設け、さらにその上にマイカ片１５ｂを分散させた着色層１５を設け、その上に透明なクリア層１６を設けた塗装である。これらの塗装自体は公知のものであり、車自体の塗装にマッチするように適宜選択して塗装する。
【００１３】
図３にもどって、修理の対象が該当する列と行との交わる価格欄９には、特定された価格を表示する。例えば、車種が乗用車、車種がＢ、塗装がメタリックで全面の１／３の範囲で塗装する場合は、３２，３２０（円）、車種が軽四輪、車種がＨ、塗装がソリッドで全面の１／２の範囲で塗装する場合は、２２，５８０（円）の価格が表示される。価格表の右端の列をもうけて塗料の種類（例えば２Ｋ）８を表示してもよい。
【００１４】
この価格表によれば、列に表示された車種、車名、行に表示された塗装の種類、塗装の範囲が特定されると、特定された列と行の交わる欄に価格が表示されているため、修理する前に価格を知ることができるので、修理を依頼するか否かの判断材料となり、また、価格を納得した上で修理を依頼するので、請求費用についてのトラブルを避けることができる。
【００１５】
【考案の効果】
本考案の車のキズ・ヘコミの修理価格一覧表によれば、修理の依頼者は、修理する車の修理個所と塗装の種類を容易に特定して事前に価格を知ることができ、表示された価格を納得した上で修理を依頼することになるので、請求後に修理費用についてのトラブルが発生するのを防ぐことができる。
【図面の簡単な説明】
【図１】本考案の車のキズ・ヘコミの修理価格一覧表を示す図である。
【図２】ボディーの部位をボディーを展開して示した図である。
【図３】図１に示す各部位の価格表を示し、フロントドアの価格表の例を示す図である。
【図４】塗装の種類についての説明図である。
【符号の説明】
１：修理価格一覧表
２：ボディーの部位
３：価格表
４：車の種類
５：車名
６：塗装の種類
７：塗装の範囲
８：塗料の種類
９：価格欄
１０：バンパー
１１：ライン
１２：鉄板
１３：下地層
１４：着色層
１５：着色層
１５ａ：アルミ片
１５ｂ：マイカ片
１６：クリア層
【図１】
0003098168.tif 000003
【図２】
0003098168.tif 000004
【図３】
0003098168.tif 000005
【図４】
0003098168.tif 000006
【手続補正書】
【提出日】平成15年7月14日(2003.7.14)
【手続補正２】
【補正対象書類名】明細書
【補正対象項目名】実用新案登録請求の範囲
【補正方法】変更
【補正の内容】
【実用新案登録請求の範囲】
【請求項１】
車のボディーの部位ごとに、列に車種を表示し、次の列に前記車種ごとの車名を表示し、行に塗装の種類を表示し、次の行に前記塗装の種類ごとに塗装の範囲を表示し、各車種と各車名の行と各塗装の種類と各塗装の範囲の列が交わる欄に価格が表示されている価格表が表示されていることを特徴とする車のキズ・ヘコミの修理価格一覧表用紙。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
【課題を解決するための手段】
本考案の車のキズ・ヘコミの修理価格一覧表用紙は、車のボディーの部位ごとに、列に車種を表示し、次の列に前記車種ごとの車名を表示し、行に塗装の種類を表示し、次の行に前記塗装の種類ごとに塗装の範囲を表示し、各車種と各車名の行と各塗装の種類と各塗装の範囲の列が交わる欄に価格が表示されている価格表が表示されていることを特徴とする。